(57)【要約】【課題】外装筐体に対して高精度に配置される入力操作部を備えたプロジェクタを提供する。【解決手段】プロジェクタは、光源と、光変調装置と、投写光学装置と、入力操作が行われる入力操作部とを有する。入力操作部５は、入力操作に対応した所定の情報を出力する回路基板５１１と、回路基板５１１の表面に実装される複数の方向スイッチ５１３と、複数の方向スイッチ５１３を平面的に覆い、複数の方向スイッチ５１３それぞれを押圧可能な方向キー５３１と、方向キー５３１に対して離間して設けられ、回路基板５１１に対して位置決めされて配置されるベース部５３４と、方向キー５３１とベース部５３４との間に懸架され、方向キー５３１を方向スイッチ５１３それぞれに対して押圧離間するように揺動自在に支持する腕部５３５とを備えている。【選択図】図４
2010026282.tif 000002
【特許請求の範囲】
【請求項１】
光源と、前記光源から射出された光束を画像情報に応じて変調して画像光を形成する光変調装置と、前記画像光を投写する投写光学装置と、入力操作が行われる入力操作部とを有するプロジェクタであって、
前記入力操作部は、
前記入力操作に対応した所定の情報を出力する回路基板と、
前記回路基板の表面に実装された複数の第１押圧スイッチと、
前記複数の第１押圧スイッチを平面的に覆い、前記複数の第１押圧スイッチそれぞれを押圧可能な第１キーと、
前記第１キーに対して離間して設けられ、前記回路基板に対して位置決めされて配置されるベース部と、
前記第１キーと前記ベース部との間に懸架され、前記第１キーを前記第１押圧スイッチそれぞれに対して押圧離間するように揺動自在に支持する腕部と、
を備えていることを特徴とするプロジェクタ。
【請求項２】
請求項１に記載のプロジェクタであって、
前記腕部は、複数設けられていることを特徴とするプロジェクタ。
【請求項３】
請求項２に記載のプロジェクタであって、
前記第１押圧スイッチは、前記回路基板の表面における所定位置を中心とした略９０°回転対称の位置にそれぞれ実装された４つで構成され、
前記腕部は、前記入力操作部の平面視において、前記所定位置に対して略対角の位置に設けられ、前記第１キー側の端部と、前記所定位置とを結ぶ線が、隣接する前記第１押圧スイッチの間に位置するように形成されていることを特徴とするプロジェクタ。
【請求項４】
請求項２または請求項３に記載のプロジェクタであって、
前記腕部は、形状が前記所定位置を中心にして略回転対称に形成されていることを特徴とするプロジェクタ。
【請求項５】
請求項１〜請求項４のいずれか一項に記載のプロジェクタであって、
前記腕部は、前記回路基板の表面に対して略平行となる帯状に形成され、前記入力操作部の平面視において、前記ベース部側の端部と、前記第１キー側の端部とを結ぶ線に対して略直交する方向に迂曲していることを特徴とするプロジェクタ。
【請求項６】
請求項１〜請求項５に記載のプロジェクタであって、
前記複数の第１押圧スイッチに並置して前記回路基板に実装された第２押圧スイッチと、
前記第２押圧スイッチを平面的に覆い、前記第２押圧スイッチを押圧可能な第２キーと、
をさらに備え、
前記第１キーおよび前記第２キーは、一体的に形成されていることを特徴とするプロジェクタ。
【発明の詳細な説明】
【技術分野】
【０００１】
本発明は、画像光を投写するプロジェクタに関する。
【背景技術】
【０００２】
従来、光源から射出された光束を画像情報に応じて変調して画像光を形成し、その画像光をスクリーン等に投写するプロジェクタが知られている。プロジェクタは、外装筐体に配設された入力操作部によって操作される。この入力操作部には、複数のスイッチが実装された回路基板と、そのスイッチ上に配置された複数のキーが備えられている。そして、キーが押し下げられると、スイッチが押圧されてオンとなり、そのオンとなったスイッチに対応する情報が回路基板から出力される。
このスイッチの中には、メニュー画像が表示された際に、メニュー画像上の各種項目を選択するために、上下左右等の方向に関する情報を入力するための複数の方向スイッチ等がある。そして、この方向スイッチを押圧するキーとして、他のキーとの差別化、デザイン性等から、複数の方向スイッチを平面的に覆う形状とする場合があり、このキーを備えた入力操作部（多方向押圧式スイッチ）の構造が提案されている（例えば、特許文献１参照）。
【０００３】
特許文献１に記載の技術は、回路基板（スイッチ基板）、複数の押圧スイッチ（スイッチ接点）、キー（揺動つまみ）、可撓性フィルムからなる連結部材および連結部材に貼り付けられた両面テープを備える。
複数の押圧スイッチは、回路基板上の上下左右に配置される。キーは、複数の押圧スイッチを平面的に覆う形状を有し、裏側に複数の突起部を備えている。連結部材は、キーの下方に配置され、複数の挿通孔が設けられている。キーは、突起部が連結部材の挿通穴に挿入され、両面テープによって連結部材に固定される。そして、外装筐体（ケース）に設けられた突起部が連結部材の挿通穴に挿入され、キーは、連結部材を介して外装筐体に連結される。
【０００４】
【特許文献１】特開２００１−１８５００４号公報
【発明の開示】
【発明が解決しようとする課題】
【０００５】
しかしながら、特許文献１に記載の技術は、変形しやすい可撓性フィルムを用いてキーと外装筐体との位置決めを行っているため、キーが押圧スイッチおよび外装筐体に対して精度良く配置されないことが考えられる。また、部品点数が多いため組立工程が煩雑となる。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクタは、光源と、前記光源から射出された光束を画像情報に応じて変調して画像光を形成する光変調装置と、前記画像光を投写する投写光学装置と、入力操作が行われる入力操作部とを有するプロジェクタであって、前記入力操作部は、前記入力操作に対応した所定の情報を出力する回路基板と、前記回路基板の表面に実装された複数の第１押圧スイッチと、前記複数の第１押圧スイッチを平面的に覆い、前記複数の第１押圧スイッチそれぞれを押圧可能な第１キーと、前記第１キーに対して離間して設けられ、前記回路基板に対して位置決めされて配置されるベース部と、前記第１キーと前記ベース部との間に懸架され、前記第１キーを前記第１押圧スイッチそれぞれに対して押圧離間するように揺動自在に支持する腕部と、を備えていることを特徴とする。
【０００８】
このプロジェクタによれば、第１キーは、複数の第１押圧スイッチそれぞれに対して押圧離間するように、腕部によって揺動自在に支持されている。腕部は、第１キーとベース部との間に懸架され、ベース部は、回路基板に対して位置決めされて配置されている。これによって、第１キーは、第１押圧スイッチに対して精度良く配置されることが可能となる。
また、第１キーは、ベース部が外装筐体に対して位置決めされて配置されることで、外装筐体に対しても精度良く配置される。例えば、外装筐体に設けられた開口部から第１キーが露出するように構成した場合においても、第１キーは、開口部に対して精度良く配置されるので、がたつきや、第１キーと開口部との隙間の不均一性を低減させることが可能となる。
したがって、プロジェクタは、安定した入力操作が可能になると共に、内部を冷却するための冷却ファンやスピーカ等の振動によって第１キーと外装筐体とのビビリ音等が抑制される。
【０００９】
［適用例２］上記適用例に係るプロジェクタにおいて、前記腕部は、複数設けられていることが好ましい。
【００１０】
このプロジェクタによれば、腕部は、複数設けられているので、第１キーは、安定して支持されることが可能となる。
【００１１】
［適用例３］上記適用例に係るプロジェクタにおいて、前記第１押圧スイッチは、前記回路基板の表面における所定位置を中心とした略９０°回転対称の位置にそれぞれ実装された４つで構成され、前記腕部は、前記入力操作部の平面視において、前記所定位置に対して略対角の位置に設けられ、前記第１キー側の端部と、前記所定位置とを結ぶ線が、隣接する前記第１押圧スイッチの間に位置するように形成されていることが好ましい。
【００１２】
このプロジェクタによれば、第１押圧スイッチは、回路基板上における所定位置（以下「基準位置」という）を中心とした略９０°回転対称の位置にそれぞれ実装された４つで構成されているので、入力操作部は、４つの異なる情報、例えば、メニュー画面における各種項目を選択するための上下左右の方向に関する情報を第１キーの押圧によって出力することができる。
腕部は、基準位置に対して、略対角の位置に設けられ、第１キー側の端部と、基準位置とを結ぶ線（以下「支持線」という）が、隣接する第１押圧スイッチの間に位置するように形成されている。つまり、腕部は、第１キー側の端部、すなわち第１キーが支持されている部位と、支持線の両側に位置するそれぞれの第１押圧スイッチとの距離の差が著しく大きくならない位置に形成されている。これによって、それぞれの第１押圧スイッチを押圧するための第１キーを押し下げる力（以下「操作力」という）のばらつきが抑制される。したがって、４つの第１押圧スイッチに対する操作力の均一化を図ることが可能となり、操作感の向上が図れる。また、基準位置と第１押圧スイッチの略中央部を結ぶ線と、支持線とが成す角度が略４５°になるように腕部を設けることで、さらに操作力の均一化を図ることが可能となる。
【００１３】
［適用例４］上記適用例に係るプロジェクタにおいて、前記腕部は、形状が前記所定位置を中心にして略回転対称に形成されていることが好ましい。
【００１４】
このプロジェクタによれば、腕部は、形状が基準位置を中心にして略回転対称に形成されているので、それぞれの第１押圧スイッチに対する操作力がさらに均一化され、さらに操作感の向上が図れる。
【００１５】
［適用例５］上記適用例に係るプロジェクタにおいて、前記腕部は、前記回路基板の表面に対して略平行となる帯状に形成され、前記入力操作部の平面視において、前記ベース部側の端部と、前記第１キー側の端部とを結ぶ線に対して略直交する方向に迂曲していることが好ましい。
【００１６】
このプロジェクタによれば、腕部は、回路基板の表面に対して略平行となる帯状に形成され、平面視において迂曲している。これによって、腕部は、回路基板に対して略直交する方向、つまり入力操作部の厚み方向、およびベース部と第１キーとの間に大きなスペースを設けることなく、狭いスペースで弾性力を発揮することができるので、入力操作部の薄型化、小型化が図れる。
【００１７】
［適用例６］上記適用例に係るプロジェクタにおいて、前記複数の第１押圧スイッチに並置して前記回路基板に実装された第２押圧スイッチと、前記第２押圧スイッチを平面的に覆い、前記第２押圧スイッチを押圧可能な第２キーと、をさらに備え、前記第１キーおよび前記第２キーは、一体的に形成されていることが好ましい。
【００１８】
このプロジェクタによれば、第１キーおよび第２キーは、一体的に形成されているので、それぞれが別体に形成されている場合に比べて、積算される部品の寸法ばらつきが減少し、互いの位置精度をより高めることができる。これによって、第１キーおよび第２キーは、第１押圧スイッチおよび第２押圧スイッチそれぞれに対してさらに精度良く配置されることが可能となる。また、第１キーと第２キーとの間に部材を介在させる必要がないので、第１キーと第２キーとを近接して配置することができる。これによって、入力操作部の小型化が可能になる。
【発明を実施するための最良の形態】
【００１９】
以下、本実施形態に係るプロジェクタについて、図面を参照して説明する。
本実施形態のプロジェクタは、光源から射出された光束を画像情報に応じて変調して画像光を形成し、その画像光をスクリーン等に拡大投写する。
図１は、本実施形態のプロジェクタの外観を示す図であり、前方上側から見た斜視図である。
【００２０】
図１に示すように、プロジェクタ１は、外装筐体２、光源を有する光学ユニット３（図２参照）、制御部（図示せず）、２つの入力操作部４，５等を備えている。なお、具体的な図示は省略したが、外装筐体２内において、光学ユニット３、制御部、入力操作部４および入力操作部５以外の空間には、光源や制御部に電力を供給する電源装置、プロジェクタ１内部を冷却する冷却ファン、スピーカ等が配置されるものとする。
【００２１】
外装筐体２は、合成樹脂製であり、上部を構成するアッパーケース２１、下部を構成するロアーケース２２、および側部を構成するサイドケース２３，２４を備えており、これらは、互いにネジ等により固定されている。
【００２２】
アッパーケース２１およびロアーケース２２のそれぞれの前面２１Ａ，２２Ａにて構成される外装筐体２の前面には、略円形状の開口部２０１が形成されており、この開口部２０１の内側には、投写光学装置としての投写レンズ３６が配置されている。そして、投写レンズ３６から射出された画像光は、この開口部２０１を通過して前方に投写される。
アッパーケース２１の上面２１Ｂには、複数の開口部が設けられており、この開口部から入力操作部４の各キーが露出している。
【００２３】
サイドケース２３の側面２３Ａには、開口部２３１，２３２，２３３が設けられており、この開口部２３１，２３２，２３３から入力操作部５の各キーが露出している。
【００２４】
制御部は、ＣＰＵ（Central Processing Unit）やＲＯＭ（Read Only Memory）、ＲＡＭ（Random Access Memory）等を備え、コンピュータとして機能するものであり、プロジェクタ１の動作の制御、例えば、入力操作部４，５から出力された情報に応じて、画像の投写に関わる制御等を行う。
【００２５】
入力操作部４は、ユーザーからの入力操作が行われる部分であり、電源のオン／オフを切り換える電源キー、入力ソースを切り換えるソース切換えキー等を備えている。入力操作部４は、図１に示すように、各キーがアッパーケース２１の上面２１Ｂの開口部から露出するように上面２１Ｂの内側に配置されている。そして、入力操作部４は、各キーがユーザーによって操作されると、入力操作に対応した所定の情報を制御部に出力する。
【００２６】
入力操作部５は、入力操作部４と同様に、ユーザーからの入力操作が行われる部分であり、メニュー画像上の各種項目を選択するための上下左右の入力を行う方向キー５３１、選択された項目を決定する決定キー５２１、一段階前の操作画面に戻るための戻るキー５３２、トラブル対処方法示すためのヘルプキー５３３を備えている。入力操作部５は、図１に示すように、各キーがサイドケース２３の側面２３Ａの開口部２３１，２３２，２３３から露出するようにサイドケース２３の内側に配置されている。そして、入力操作部５は、各キーがユーザーによって操作されると、入力操作に対応した所定の情報を制御部に出力する。なお、入力操作部５の詳細については後述する。
【００２７】
光学ユニット３は、制御部による制御の下、光源から射出された光束を光学的に処理し、画像情報に応じた画像光を形成して投写する。
図２は、光学ユニット３を模式的に示す図である。
図２に示すように、光学ユニット３は、光源装置３１、照明光学装置３２、色分離光学装置３３、リレー光学装置３４、電気光学装置３５、投写光学装置としての投写レンズ３６およびこれら各光学部品３１〜３６を所定位置に配置する光学部品用筐体３７を備える。
【００２８】
光源装置３１は、超高圧水銀ランプやメタルハライドランプ等からなる放電型の光源３１１およびリフレクタ３１２等を備える。そして、光源装置３１は、光源３１１から射出された光束をリフレクタ３１２によって射出方向を揃え、照明光学装置３２に向けて射出する。
【００２９】
照明光学装置３２は、第１レンズアレイ３２１、第２レンズアレイ３２２、偏光変換素子３２３、重畳レンズ３２４を備え、光源３１１から射出された光束を後述する液晶パネル３５２の画像形成領域を略均一に照明するように光学的に処理する。
【００３０】
色分離光学装置３３は、２枚のダイクロイックミラー３３１，３３２、および反射ミラー３３３を備え、照明光学装置３２から射出された光束を赤色光（以下「Ｒ光」という）、緑色光（以下「Ｇ光」という）、青色光（以下「Ｂ光」という）の３色の色光に分離する機能を有する。
【００３１】
リレー光学装置３４は、入射側レンズ３４１、リレーレンズ３４３、および反射ミラー３４２，３４４を備え、第２のダイクロイックミラー３３２を透過したＲ光をＲ光用の液晶パネル３５２Ｒまで導く機能を有する。なお、光学ユニット３は、リレー光学装置３４がＲ光を導く構成としているが、これに限らず、例えば、Ｂ光を導く構成としてもよい。
【００３２】
電気光学装置３５は、入射側偏光板３５１、光変調装置としての液晶パネル３５２、射出側偏光板３５３、色合成光学装置としてのクロスダイクロイックプリズム３５４を備え、色分離光学装置３３から射出された各色光を画像情報に応じて変調して画像光を形成する。
【００３３】
投写レンズ３６は、複数のレンズを組み合わせた組レンズとして構成され、電気光学装置３５にて形成された画像光をスクリーン上に拡大投写する。
【００３４】
ここで、入力操作部５について詳細に説明する。
図３は、入力操作部５の平面図である。図４は、入力操作部５を分解した斜視図であり、入力操作部５の表側から見た図である。図５は、入力操作部５を分解した斜視図であり、入力操作部５の裏側から見た図である。
図４に示すように、入力操作部５は、回路基板ユニット５１、決定キー本体５２および方向キー本体５３を備える。
【００３５】
先ず、回路基板ユニット５１について説明する。
回路基板ユニット５１は、回路基板５１１、および回路基板５１１に実装される決定スイッチ５１２、方向スイッチ５１３、戻るスイッチ５１４、ヘルプスイッチ５１５を備える。
回路基板５１１は、各スイッチが押圧されることによって、その入力操作に対応した所定の情報を出力するように構成されている。
回路基板５１１は、図４、図５に示すように、略長方形に形成されており、４つの角部には、ネジが挿通される挿通孔５１１１が形成されている。回路基板５１１には、４つの挿通孔５１１１のうち２つの挿通孔５１１１に隣接して、サイドケース２３に対して位置決めされるための位置決め孔５１１２が形成されている。また、回路基板５１１には、中央部近傍に決定キー本体５２を位置決めするための長孔５１１３が設けられている。
【００３６】
決定スイッチ５１２は、図３、図４に示すように、回路基板５１１の略中央部に実装されている。決定スイッチ５１２は、押圧式スイッチであり、その中央部には、周囲に対して突出する操作部ＰＵが設けられており、この操作部ＰＵが回路基板５１１に対して略直角方向に押圧されるとオンとなり、操作部ＰＵへの押圧が解除されるとオフとなる。
【００３７】
方向スイッチ５１３は、決定スイッチ５１２と同様に構成された押圧式スイッチ４つで構成され、決定スイッチ５１２の周囲に配置されている。具体的に、方向スイッチ５１３は、図３に示すように、決定スイッチ５１２の操作部ＰＵの略中心位置（基準位置ＣＰ）を中心とした上下左右略９０°回転対称の位置に実装されている。方向スイッチ５１３は、第１押圧スイッチに相当する。
【００３８】
戻るスイッチ５１４およびヘルプスイッチ５１５は、図４に示すように、決定スイッチ５１２と同様に構成された押圧式スイッチで構成され、図３の図面視における方向スイッチ５１３の右側および左側にそれぞれ並置して実装されている。戻るスイッチ５１４およびヘルプスイッチ５１５は、第２押圧スイッチに相当する。
【００３９】
回路基板ユニット５１は、決定キー本体５２および方向キー本体５３をサイドケース２３とで挟持し、サイドケース２３に取付けられる。具体的に、図５に示すように、回路基板ユニット５１は、図示しないサイドケース２３の突起部が位置決め孔５１１２に挿入され、挿通孔５１１１にネジが挿通され、サイドケース２３のボスにネジ締めされてサイドケース２３に取付けられる。そして、回路基板ユニット５１は、入力操作に対応した所定の情報を図示しないＦＦＣを介して制御部に出力する。
【００４０】
次に、決定キー本体５２について説明する。
決定キー本体５２は、図４に示すように、回路基板ユニット５１に積層配置され、決定スイッチ５１２を押圧可能に構成されている。
決定キー本体５２は、合成樹脂製で成型されており、決定キー５２１、ベース部５２２および腕部５２３を有している。
【００４１】
決定キー５２１は、図３、図４に示すように、平面視における略正方形の凸部５２１１と、凸部５２１１の外周縁部から回路基板５１１の表面に沿って延出し、回路基板５１１から離間する方向に立ち上がる断面Ｌ字状の鍔部５２１２とを有している。凸部５２１１の表面は、サイドケース２３の開口部２３１から露出し（図１参照）、この表面が押し下げられることによって決定スイッチ５１２が押圧される。
【００４２】
図５に示すように、凸部５２１１の裏面には、決定スイッチ５１２（図４参照）を押圧するための十字状の突起部５２１３が設けられており、鍔部５２１２の裏側端部近傍には、回路基板５１１の長孔５１１３に挿通される円柱状の突起５２１４が設けられている。
図６は、入力操作部５の断面図であり、操作力が加わっていない状態を示す図である。
図６に示すように、操作力が加わっていない状態において、決定キー５２１は、突起部５２１３が決定スイッチ５１２の操作部ＰＵから離間しており、操作力が加わった際に、操作部ＰＵを押圧可能になっている。
【００４３】
ベース部５２２は、決定キー本体５２がサイドケース２３に取付けられる際に、サイドケース２３と回路基板ユニット５１とに挟持される部位である。
図４に示すように、ベース部５２２は、決定キー５２１から離間して設けられており、凸部５２１１の一方の辺に略平行となる立壁５２２１と、立壁５２２１に隣接して設けられた円筒形の位置決め部５２２２とを有している。位置決め部５２２２には、回路基板５１１に対して略直角方向に貫通する位置決め孔５２２Ａが設けられている。
【００４４】
腕部５２３は、図４に示すように、決定キー５２１とベース部５２２との間に懸架され、決定キー５２１を決定スイッチ５１２に対して押圧離間するように揺動自在に支持する。具体的に、腕部５２３は、回路基板５１１の表面に対して略平行となる帯状に形成された２つで構成され、ベース部５２２の両側からそれぞれ鍔部５２１２の縁部まで延出している。
【００４５】
腕部５２３は、適正な弾性力を発揮するように、断面における厚みと幅とが設定されており、決定キー５２１に操作力が加わると、ベース部５２２側を支点として撓む。そして、決定スイッチ５１２は、決定キー５２１によって押圧されてオンとなる。
決定キー５２１は、操作力が解除されると、腕部５２３の弾性力によって、決定スイッチ５１２から離間し、決定スイッチ５１２は、決定キー５２１からの押圧が解除されてオフとなる。
【００４６】
決定キー本体５２は、図５に示すように、位置決め孔５２２Ａにサイドケース２３に設けられた図示しない突起部が挿通され、突起５２１４が回路基板５１１の長孔５１１３に挿通され、ベース部５２２がサイドケース２３と回路基板ユニット５１とに挟持されてサイドケース２３に取付けられる。このように、決定キー本体５２は、サイドケース２３および回路基板５１１に対して位置決めされて配置される。つまり、決定キー５２１は、決定スイッチ５１２および開口部２３１に対して精度良く配置される。
【００４７】
次に、方向キー本体５３について説明する。
方向キー本体５３は、図４に示すように、回路基板ユニット５１および決定キー本体５２に積層配置され、方向スイッチ５１３、戻るスイッチ５１４およびヘルプスイッチ５１５を押圧可能に構成されている。
方向キー本体５３は、合成樹脂製で成型されており、方向キー５３１、戻るキー５３２、ヘルプキー５３３、ベース部５３４および腕部５３５，５３６を有している。
【００４８】
方向キー５３１は、４つの方向スイッチ５１３を平面的に覆い、方向スイッチ５１３それぞれを押圧可能に構成されており、第１キーに相当する。方向キー５３１は、平面視における略正方形の凸部５３１１と、凸部５３１１の外周縁部から回路基板５１１の表面に沿って延出し、回路基板５１１から離間する方向に立ち上がる断面Ｌ字状の鍔部５３１２とを有している。
凸部５３１１の略中央部には、平面視における略正方形の孔５３１３が設けられており、図６に示すように、この孔５３１３に決定キー５２１の凸部５２１１が遊嵌状態で配置され、凸部５３１１の表面は、凸部５２１１の表面と共に開口部２３１から露出する。
【００４９】
図５に示すように、方向キー５３１の裏面には、４つの方向スイッチ５１３をそれぞれ押圧するための平面視における略長方形の突起部５３１４が上下左右に４つ形成されている。そして、凸部５３１１の表面の上下左右が押し下げられることによって４つの方向スイッチ５１３それぞれが押圧される。
図６に示すように、操作力が加わっていない状態において、方向キー５３１は、決定キー５２１と同様に、突起部５３１４が方向スイッチ５１３の操作部ＰＵから離間しており、操作力が加わった際に、操作部ＰＵを押圧可能になっている。
【００５０】
戻るキー５３２は、図４に示すように、戻るスイッチ５１４を平面的に覆い、戻るスイッチ５１４を押圧可能に構成されており、第２キーに相当する。戻るキー５３２は、平面視における略長方形の凸部５３２１と、凸部５３２１の外周縁部から回路基板５１１に沿って延出し、回路基板５１１から離間する方向に立ち上がる断面Ｌ字状の鍔部５３２２を有している。凸部５３２１の表面は、サイドケース２３の開口部２３２から露出しており（図１参照）、この表面が押し下げられることによって、戻るスイッチ５１４は押圧される。
【００５１】
図５に示すように、戻るキー５３２の裏面には、戻るスイッチ５１４を押圧するための十字状の突起部５３２３が設けられている。戻るキー５３２は、決定キー５２１および方向キー５３１と同様に、突起部５３２３が戻るスイッチ５１４の操作部ＰＵから離間しており、操作力が加わった際に、操作部ＰＵを押圧可能になっている。
【００５２】
ヘルプキー５３３は、ヘルプスイッチ５１５を平面的に覆い、ヘルプスイッチ５１５を押圧可能に構成されており、戻るキー５３２と同様に、第２キーに相当する。ヘルプキー５３３は、戻るキー５３２と同一形状を有し、開口部２３３（図１参照）から露出する凸部５３３１の表面が押し下げられることによってヘルプスイッチ５１５を押圧する。
【００５３】
ベース部５３４は、方向キー本体５３がサイドケース２３に取付けられる際に、サイドケース２３と回路基板ユニット５１とに挟持される部位である。
図４に示すように、ベース部５３４は、方向キー５３１、戻るキー５３２およびヘルプキー５３３に対して離間して設けられており、これらのキーを囲み、平面視における略長方形の枠状に形成されている。
図５に示すように、ベース部５３４の４つの角部には、回路基板５１１の挿通孔５１１１に対応する位置に、図示しないサイドケース２３のボスが挿通される丸孔５３４１が設けられている。また、ベース部５３４には、回路基板５１１の位置決め孔５１１２に対応する位置に位置決め孔５３４２が設けられている。
【００５４】
腕部５３５は、図３、図４に示すように、方向キー５３１とベース部５３４との間に懸架され、方向キー５３１を４つの方向スイッチ５１３それぞれに対して押圧離間するように揺動自在に支持する。具体的に、腕部５３５は、回路基板５１１の表面に対して略平行となる帯状に形成されており、図３の図面視における方向キー５３１の上方および下方に基準位置ＣＰに対して略対角の位置に形成されている。
【００５５】
腕部５３５は、図３に示すように、中途部分が迂曲し、鍔部５３１２の縁部からベース部５３４の内面まで延出している。その中途部分は、図３の図面視において、腕部５３５のベース部５３４側の端部と、方向キー５３１側の端部とを結ぶ線Ｌ１に対して、略直交する方向に迂曲している。そして、２つの腕部５３５は、形状が基準位置ＣＰを中心にして略回転対称に形成されている。
【００５６】
２つの腕部５３５は、図３に示すように、方向キー５３１側の端部と、基準位置ＣＰとを結ぶ線（支持線Ｌ２）が、隣接する方向スイッチ５１３の間に位置するように形成されている。具体的に、腕部５３５は、支持線Ｌ２が上方の方向スイッチ５１３と左方の方向スイッチ５１３との間、および下方の方向スイッチ５１３と右方の方向スイッチ５１３との間に位置するように形成されている。そして、腕部５３５は、基準位置ＣＰを通る上下の方向スイッチ５１３の略中央部を結ぶ線（中心線ＣＬ）と、支持線Ｌ２とが成す角度（支持角θ）が略２５°になるように形成されている。なお、支持角θが略４５°になるように腕部５３５を形成することも可能である。
このように、腕部５３５は、方向キー５３１側の端部、すなわち方向キー５３１が支持されている部位と、支持線Ｌ２の両側に位置するそれぞれの方向スイッチ５１３との距離の差が著しく大きくならない位置に形成されている。
【００５７】
腕部５３５は、適正な弾性力を発揮するように、迂曲している長さ、および断面における厚み、幅が設定されている。そして、方向キー５３１の上下左右のいずれかに操作力が加わると、腕部５３５は、捩れおよび撓みが発生して、その操作力が加わった箇所に対応する方向キー５３１の突起部５３１４が方向スイッチ５１３を押圧する。操作力が解除されると、腕部５３５の弾性力によって、突起部５３１４は、方向スイッチ５１３から離間する。
このように、腕部５３５は、回路基板５１１の表面に対して略平行となる帯状に形成され、その中途部分が迂曲しており、回路基板５１１に対して略直交する方向、つまり入力操作部５の厚み方向、およびベース部５３４と各キーとの間に大きなスペースを設けることなく、適正な弾性力を発揮するように形成されている。
【００５８】
腕部５３６は、図３、図４に示すように、腕部５３５と同様に、戻るキー５３２とベース部５３４、ヘルプキー５３３とベース部５３４との間にそれぞれ懸架され、戻るスイッチ５１４、ヘルプスイッチ５１５それぞれに対して押圧離間するように揺動自在に支持する。具体的に、腕部５３６は、図３の図面視において、戻るキー５３２、ヘルプキー５３３のそれぞれ上方、下方に設けられており、回路基板５１１の表面に対して略平行となる帯状に形成されている。腕部５３６は、腕部５３５と同様に、中途部分が迂曲しており、適正な弾性力を発揮するように形成されている。
【００５９】
戻るキー５３２およびヘルプキー５３３は、操作力が加わると、腕部５３６の捩れおよび撓みが発生し、戻るスイッチ５１４、ヘルプスイッチ５１５をそれぞれ押圧する。操作力が解除されると、戻るキー５３２およびヘルプキー５３３は、腕部５３６の弾性力によって、戻るスイッチ５１４、ヘルプスイッチ５１５それぞれから離間する。
【００６０】
方向キー本体５３は、図５に示すように、図示しないサイドケース２３の突起部が位置決め孔５３４２および回路基板５１１の位置決め孔５１１２に挿入され、ベース部５３４がサイドケース２３と回路基板ユニット５１とに挟持されてサイドケース２３に取付けられる。このように、ベース部５３４は、サイドケース２３を介して回路基板５１１に位置決めされる。つまり、方向キー本体５３は、サイドケース２３および回路基板５１１に対して位置決めされて配置される。したがって、方向キー５３１、戻るキー５３２およびヘルプキー５３３は、方向スイッチ５１３、戻るスイッチ５１４およびヘルプスイッチ５１５に対してそれぞれ精度良く配置されると共に、開口部２３１，２３２，２３３に対しても精度良く配置される。
【００６１】
以上説明したように、本実施形態のプロジェクタ１によれば、以下の効果を得ることができる。
（１）決定キー５２１、方向キー５３１、戻るキー５３２およびヘルプキー５３３は、決定スイッチ５１２、方向スイッチ５１３、戻るスイッチ５１４およびヘルプスイッチ５１５それぞれに対して精度良く配置されるので、プロジェクタ１は、安定した入力操作が可能になる。また、これらの各キーは、開口部２３１，２３２，２３３に対しても精度良く配置されるので、がたつきや、隙間の不均一性が低減する。これによって、プロジェクタ１は、内部を冷却するための冷却ファンやスピーカ等の振動によるビビリ音等が抑制されると共に、良好な外観を得ることが可能となる。
【００６２】
（２）決定キー本体５２および方向キー本体５３は、それぞれが一体的に形成されているので、少ない部品点数で入力操作部５を構成できる。これによって、組立工程の簡素化や低コスト化を図ることが可能となる。
【００６３】
（３）腕部５３５，５３６は、方向キー５３１、戻るキー５３２およびヘルプキー５３３に対してそれぞれ複数設けられているので、各キーは、安定して支持される。
【００６４】
（４）腕部５３５は、方向キー５３１側の端部と、支持線Ｌ２の両側に位置するそれぞれの方向スイッチ５１３との距離の差が著しく大きくならない位置に形成されているので４つの方向スイッチ５１３に対する操作力の均一化を図ることが可能となり、操作感の向上が図れる。
【００６５】
（５）腕部５３５は、形状が基準位置ＣＰを中心にして略回転対称に形成されているので、それぞれの方向スイッチ５１３に対する操作力がさらに均一化され、さらに操作感の向上が図れる。
【００６６】
（６）腕部５３５，５３６は、入力操作部５の厚み方向、およびベース部５３４と各キーとの間に大きなスペースを設けることなく、狭いスペースで弾性力を発揮するように形成されているので、入力操作部５の薄型化、小型化が図れる。
【００６７】
（７）方向キー５３１、戻るキー５３２およびヘルプキー５３３は、一体的に形成されているので、それぞれが別体に形成されている場合に比べて、積算される部品の寸法ばらつきが減少し、互いの位置精度をより高めることができる。これによって、各キーは、各スイッチに対してさらに精度良く配置される。また、方向キー５３１と戻るキー５３２との間、および方向キー５３１とヘルプキー５３３との間には、部材を介在させる必要がないので、それぞれのキーを近接して配置することができる。これによって、入力操作部５の小型化が可能になる。また部品点数を減らすことができるので、コスト低減が図れる。
【００６８】
（変形例）
なお、前記実施形態は、以下のように変更してもよい。
前記実施形態では、入力操作部５は、サイドケース２３に取付けられているが、アッパーケース２１に取付けてもよい。また、入力操作部４と入力操作部５とを統合して構成してもよい。
【００６９】
前記実施形態では、４つの第１押圧スイッチを用いて上下左右の方向に関する情報を選択するように構成しているが、２つ以上あるいは５つ以上であってもよい。例えば、視聴環境等に応じた色調や明るさ等を設定するカラーモードを５種類備え、その５種類に対応した５つの第１押圧スイッチを用いてカラーモードを選択するように構成する等が考えられる。
【００７０】
前記実施形態では、入力操作部５は、各構成部材を外装筐体２の内面側から取付けるように構成されているが、入力操作部５をユニットとして形成し、そのユニットを外装筐体２の外面側から取付けるように構成してもよい。
【００７１】
決定キー本体５２および方向キー本体５３は、別体に形成されているが、溶着や接着等で一体的に形成してもよい。
【００７２】
前記実施形態のプロジェクタ１は、光変調装置として透過型の液晶パネル３５２を用いているが、反射型の液晶パネルを利用したものであってもよい。また、光変調装置は、マイクロミラーアレイを用いたデバイス等を使用したものであってもよい。
【図面の簡単な説明】
【００７３】
【図１】本実施形態のプロジェクタを前方上側から見た斜視図。
【図２】光学ユニットを模式的に示す図。
【図３】入力操作部の平面図。
【図４】入力操作部を分解した斜視図であり、入力操作部の表側から見た図。
【図５】入力操作部を分解した斜視図であり、入力操作部の裏側から見た図。
【図６】入力操作部の断面図。
【符号の説明】
【００７４】
１…プロジェクタ、２…外装筐体、３…光学ユニット、４，５…入力操作部、２１…アッパーケース、２２…ロアーケース、２３，２４…サイドケース、３５…電気光学装置、３６…投写レンズ、５１…回路基板ユニット、５２…決定キー本体、５３…方向キー本体、２３１，２３２，２３３…開口部、３１１…光源、３５２…液晶パネル、５１１…回路基板、５１２…決定スイッチ、５１３…方向スイッチ、５１４…戻るスイッチ、５１５…ヘルプスイッチ、５２１…決定キー、５２２，５３４…ベース部、５２３，５３５，５３６…腕部、５３１…方向キー、５３２…戻るキー、５３３…ヘルプキー。
【図１】
2010026282.tif 000003
【図２】
2010026282.tif 000004
【図３】
2010026282.tif 000005
【図４】
2010026282.tif 000006
【図５】
2010026282.tif 000007
【図６】
2010026282.tif 000008